(57)【特許請求の範囲】
【請求項１】
ゴルフシューズ用のソールであって、
前記ソールの下部において前記ソールから下方に突出しかつ前記ソールの下側周縁部に足長方向に沿って配置された複数の第１突起部と、
前記ソールの下部において前記ソールから下方に突出しかつ前記ソールの下側周縁部に囲まれた領域に足長方向に沿って配置された複数の第２突起部と、を備え、
前記第２突起部は、足幅方向に対向する前記第１突起部同士の間に配置されており、
前記第２突起部の下端部は、前記各第１突起部の下端部よりも先鋭状に形成されており、
前記ソールの厚み方向において、前記各第１突起部の下端部と前記第２突起部の下端部との間には、前記第２突起部の下端部が前記各第１突起部の下端部よりも上方に位置するように構成された比高が設けられ、
着用者の足のアーチ部に対応する前記ソールのアーチ領域では、前記比高が、前記アーチ領域と異なる前記ソールのその他領域における前記比高よりも大きくなるように構成されている、ソール。
【請求項２】
請求項１に記載のソールにおいて、
前記比高は、少なくとも２ｍｍ以上である、ゴルフシューズ用ソール。
【請求項３】
請求項１又は２に記載のソールにおいて、
前記第２突起部は、下端部が前記各第１突起部の下端部よりも先鋭状になるように形成された少なくとも１つの爪部を有している、ソール。
【請求項４】
請求項１〜３のいずれか１項に記載のソールを備えたゴルフシューズ。
【発明の詳細な説明】
【技術分野】
【０００１】
本開示は、ゴルフシューズ用のソールおよびそれを用いたゴルフシューズに関するものである。
【背景技術】
【０００２】
従来、ゴルフシューズ用のソールとして、例えば特許文献１および特許文献２のようなソールが提案されている。
【０００３】
特許文献１には、スパイク付きのソールが開示されている。このソールのアウトソールは、本体部と、本体部と一体形成された突起部（第一および第二突起部）と、本体部の下部に取り付けられたスパイク部材と、を有する。突起部は、本体部の下部から下方に突出している。スパイク部材は、円盤体および複数のピンを含む。円盤体および複数のピンは、ゴム成形体により構成されている。各ピンは、円盤体の下部から下方に突出している。各ピンの下端部は、先鋭状に形成されていて、突起部の下端部よりも下方に位置している。
【０００４】
また、特許文献２には、スパイクレスのソールが開示されている。このソールは、アウトソールと、アウトソールの下部から下方に突出しかつアウトソールと一体形成された複数の突出部および複数のスタッドを備えている。複数の突出部は、アウトソールの下側周縁部（着用者の足の土踏まずに対応する位置を除く）に配置されている。各突出部は、円錐台状に形成されている。複数のスタッドは、アウトソールの下側周縁部に囲まれた領域に配置されている。各スタッドは、四角錐台状に形成されている。そして、各スタッドは、各突出部と略同じ高さとなっている。すなわち、各スタッドの下面と各突出部の下面とが面一となっている。
【先行技術文献】
【特許文献】
【０００５】
【特許文献１】特許第４００４９８５号公報
【特許文献２】特開２０００−７０００２号公報
【発明の概要】
【発明が解決しようとする課題】
【０００６】
ゴルフ場に設置された芝生のような比較的柔らかい地面において、特許文献１のソールでは、特にスパイク部材により防滑性が高められている。具体的に、当該ソールでは、突起部の下端部よりも下方に位置しかつ先鋭状に形成された各ピンの下端部が芝生にくい込みやすくなっている。その結果、芝生上でのスリップが防止される。
【０００７】
これに対し、特許文献２のソールは、各スタッドの下面および各突出部の下面が面一であり、両方とも地面または路面に接地するように構成されている。かかる構成により、比較的柔らかい地面では、各スタッドおよび各突出部が芝生にくい込み難く、芝生上でのスリップを十分に防止することができない。すなわち、特許文献１のソールよりもグリップ力が劣っている。
【０００８】
一方、アスファルト等により整地された比較的硬い路面において、特許文献１のソールでは、先鋭状に形成された各ピンの下端部が路面に引っ掛かってしまう。その結果、当該ソールでは、路面に対して不安定となり、また各ピンによる突き上げを感じることになる。
【０００９】
これに対し、特許文献２のソールでは、上述した各突出部および各スタッドの構成により、各突出部および各スタッドの下端部が比較的硬い路面に引っ掛かることがなく、路面に対して安定的に接地する。すなわち、当該ソールを備えたゴルフシューズでは、整地された路面上を普通に歩くことが可能となっている。
【００１０】
このように、特許文献１のソールでは、比較的柔らかい地面において優れた防滑性が得られる反面、比較的硬い路面において接地時の安定性が得られない。これに対し、特許文献２のソールでは、比較的柔らかい地面において防滑性が相対的に劣る反面、比較的硬い路面において接地時の安定性が得られる。すなわち、特許文献１および特許文献２のソールでは、路面および地面における様々な状況に適した接地時の安定性および防滑性の双方を得ることができなかった。
【００１１】
本開示は斯かる点に鑑みてなされたものであり、その目的は、路面および地面における様々な状況に適した接地時の安定性および防滑性の双方を得ることにある。
【課題を解決するための手段】
【００１２】
上記の目的を達成するために、本開示の第１の形態はゴルフシューズ用のソールに係るものであり、このソールは、ソールの下部においてソールから下方に突出しかつソールの下側周縁部に足長方向に沿って配置された複数の第１突起部と、ソールの下部においてソールから下方に突出しかつソールの下側周縁部に囲まれた領域に足長方向に沿って配置された複数の第２突起部と、を備えている。第２突起部は、足幅方向に対向する第１突起部同士の間に配置されている。第２突起部の下端部は、各第１突起部の下端部よりも先鋭状に形成されている。そして、ソールの厚み方向において、各第１突起部の下端部と第２突起部の下端部との間には、第２突起部の下端部が各第１突起部の下端部よりも上方に位置するように構成された比高が設けられ、着用者の足のアーチ部に対応するソールのアーチ領域では、比高が、アーチ領域と異なるソールのその他領域における比高よりも大きくなるように構成されていることを特徴とする。
【００１３】
第１の形態では、上記比高により、第２突起部がアスファルト等により整地された比較的硬い路面に対して接地し難くなる。これにより、第２突起部が路面に引っ掛かりにくくなる一方、複数の第１突起部が路面に対して安定的に接地するようになる。その結果、ソールをゴルフシューズに適用した場合において、該ゴルフシューズを着用した者（以下「着用者」という）は、路面上を容易に歩くことができる。一方、ゴルフ場に設置された芝生のような比較的柔らかい地面では、着用者の自重によりソールが地面に対して落ち込みやすくなる。これにより、複数の第１突起部および第２突起部の双方が地面に対して接地するようになる。この接地時において、各第１突起部の下端部よりも先鋭状に形成された第２突起部の下端部が芝生にくい込むようになる。その結果、芝生上でのスリップが防止される。すなわち、比較的柔らかい地面では、第２突起部によりグリップ力が発揮される。したがって、第１の形態では、路面および地面における様々な状況に適した接地時の安定性および防滑性の双方を得ることができる。
【００１４】
また、アーチ領域における比高がその他領域における比高よりも大きくなるように構成されていることから、比較的硬い路面において着用者の自重により特にソールのアーチ領域が落ち込んだとしても、アーチ領域に位置する第２突起部が路面に対して接地し難くなる。その結果、複数の第１突起部により、比較的硬い路面に対する接地時の安定性を維持することができる。
【００１５】
第２の形態は、第１の形態において、比高は、少なくとも２ｍｍ以上であることを特徴とする。
【００１６】
この第２の形態では、比高が少なくとも２ｍｍ以上であることから、比較的硬い路面において着用者の自重によりソールが落ち込んだとしても、第２突起部が路面に対して接地し難くなる。その結果、複数の第１突起部により、比較的硬い路面に対する接地時の安定性を維持することができる。
【００１７】
第３の形態は、第１または第２の形態において、第２突起部は、下端部が各第１突起部の下端部よりも先鋭状になるように形成された少なくとも１つの爪部を有していることを特徴とする。
【００１８】
この第３の形態では、少なくとも１つの爪部が、ゴルフ場における芝生のような比較的柔らかい地面にくい込みやすくなる。その結果、芝生上でのスリップをより一層防止することができる。
【００１９】
第４の形態は、第１〜第３の形態のいずれか１つのソールを備えるゴルフシューズである。
【００２０】
この第４の形態では、上記第１〜第３の形態と同様の作用効果を奏するゴルフシューズを得ることができる。
【発明の効果】
【００２１】
以上説明したように、本開示によると、路面および地面における様々な状況に適した接地時の安定性および防滑性の双方を得ることができる。
【図面の簡単な説明】
【００２２】
【図１】図１は、本開示の実施形態に係るソールおよびそれを備えたゴルフシューズを示す全体斜視図である。
【図２】図２は、ソールを示す底面図である。
【図３】図３は、ソールを内甲側から見て示す側面図である。
【図４】図４は、ソールを外甲側から見て示す側面図である。
【図５】図５は、ソールを底面側から見て示す斜視図である。
【図６】図６は、ミッドソールを底面側から見て示す斜視図である。
【図７】図７は、ソールの前側に配置される第２基部および複数の第２突起部を底面側から見て示す斜視図である。
【図８】図８は、ソールの後側に配置される第２基部および複数の第２突起部を底面側から見て示す斜視図である。
【図９】図９は、図２のIX−IX線断面図である。
【図１０】図１０は、図２のX−X線断面図である。
【図１１】図１１は、図２のXI−XI線断面図である。
【図１２】図１２は、図２のXII−XII線断面図である。
【図１３】図１３は、変形例１に係る第２突起部の構成を底面側から見て示す斜視図である。
【図１４】図１４は、変形例２に係る第２突起部の構成を底面側から見て示す斜視図である。
【図１５】図１５は、変形例３に係る第２突起部の構成を底面側から見て示す斜視図である。
【発明を実施するための形態】
【００２３】
以下、本開示の実施形態を図面に基づいて詳細に説明する。以下の実施形態の説明は、本質的に例示に過ぎず、本開示、その適用物或いはその用途を制限することを意図するものではない。
【００２４】
図１〜図５は、本開示の実施形態に係るソール３の全体を示している。ソール３は、シューズ１を着用した者（以下「着用者」という）の足を支持するためのものである。このソール３を備えたシューズ１は、ゴルフシューズとして用いられる。
【００２５】
ここで、ソール３は、左足用シューズのソールのみを例示している。右足用シューズのソールは、左足用シューズのものと左右対称となるように構成されている。このため、以下の説明では、左足用シューズのソールのみについて説明し、右足用シューズのソールの説明を省略する。
【００２６】
以下の説明において、上方（上側）および下方（下側）とは、ソール３の上下方向（後述するソール３の厚み方向）の位置関係を表すものとする。前側および後側とは、ソール３の足長方向の位置関係を表すものとする。内甲側および外甲側とは、ソール３の足幅方向の位置関係を表すものとする。
【００２７】
また、以下の説明において、「アーチ領域Ａ」は、ソール３において着用者の足のアーチ部に対応する領域を指すものとする。「足のアーチ部」は、着用者の足の内甲側のアーチ部および外甲側のアーチ部の双方を含む。さらに、「その他領域」とは、足長方向において、アーチ領域Ａよりも前側に位置する前側領域Ｂと、アーチ領域Ａよりも後側に位置する後側領域Ｃとの少なくとも一方を指すものとする（図２参照）。
【００２８】
（ミッドソール）
ソール３は、ミッドソール４を有する。ミッドソール４は、例えば接着剤によりアウトソール８の上側に積層配置されている（図９〜図１２参照）。ミッドソール４の上面は、着用者の足裏面を支持するための足裏支持面５ａとして構成されている。また、ミッドソールの上側周縁部において、着用者の足の踵部に対応する位置には、当該踵部を支持するための踵支持部５ｂが設けられている。そして、ソール３を備えたシューズ１では、着用者の足を覆うためのアッパー６（図１に示した仮想線を参照）がミッドソール４の上側周縁部に設けられている。
【００２９】
ミッドソール４は、後述するアウトソール８よりも剛性が低い軟質の弾性材により形成されている。具体的に、ミッドソール４の材料としては、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。なお、ミッドソール４の硬度は、アスカーＣスケールで、例えば１５Ｃ〜６５Ｃ（具体的には５５Ｃ）に設定されているのが好ましい。
【００３０】
図６に示すように、ミッドソール４には、第１面７ａおよび第２面７ｂ，７ｂが設けられている。具体的に、第１面７ａは、底面視においてミッドソール４の下側周縁部およびアーチ領域Ａに形成されている。各第２面７ｂは、底面視において第１面７ａにより囲われた位置に配置されている。各第２面７ｂは、上下方向（ソール３の厚み方向）において第１面７ａよりも上方に位置している。なお、第２面７ｂは、平坦面状であってもよい。
【００３１】
（アウトソール）
ソール３は、アウトソール８を有する。図１〜図５および図９〜図１２に示すように、アウトソール８は、ミッドソール４の下側に積層配置されている。アウトソール８は、第１基部１０および複数の第１突起部１１，１１，…を含む。
【００３２】
アウトソール８は、ミッドソール４よりも高硬度の硬質弾性部材により構成されている。具体的に、アウトソール８の材料としては、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。なお、アウトソール８の硬度は、アスカーＡスケールで、例えば５０Ｃ〜８０Ａ（より好ましくは６０Ａ〜７０Ａ）に設定されているのが好ましい。
【００３３】
（第１基部）
図２〜図５に示すように、第１基部１０は、着用者の足の前足部から後足部に亘る範囲に対応して配設されている。具体的に、第１基部１０は、底面視において、ソール３の下側周縁部に配置されている。
【００３４】
（第１突起部）
図１〜図５に示すように、第１突起部１１，１１，…は、ソール３の下側周縁部に配置されている。具体的に、第１突起部１１，１１，…は、第１基部１０の下側周縁部に配置されている。また、第１突起部１１，１１，…は、内甲側および外甲側のそれぞれにおいて足長方向に間隔をあけて配置されている。
【００３５】
本実施形態において、各第１突起部１１は、第１基部１０と一体形成されている。各第１突起部１１は、ソール３から下方に突出している。各第１突起部１１は、第１基部１０の下面から下方に向かって先細るような角錐台状に突出している（図９〜図１２）。より具体的に、本実施形態の各第１突起部１１は、四角錐台状に突出している。各第１突起部１１は、下端部が整地された比較的硬い路面などに接地可能となっている。
【００３６】
図２および図５に示すように、各第１突起部１１は、底面視において、第１基部１０との境界、及び接地面をなす底面が台形状または略三角形状に形成されている。角錐台状の各第１突起部１１間には、足長方向において、隣接する各第１突起部１１を互いに隔てる溝部１２が形成されている（図１０および図１２参照）。
【００３７】
図９〜図１２に示すように、内甲側および外甲側の各々には、角錐台状の一対の第１突起部１１，１１が足幅方向に間隔をあけて配置されている。そして、内甲側に位置する一対の第１突起部１１，１１と、外甲側に位置する一対の第１突起部１１，１１とが、第１基部１０の外周を囲むように配置されている。
【００３８】
（第２基部）
図２および図５に示すように、ソール３は、第２基部２０ａ，２０ｂを備えている。第２基部２０ａ，２０ｂの各々は、ゴム材、樹脂材、および金属材のうちのいずれか１つの材料からなる。
【００３９】
第２基部２０ａは、前側領域Ｂ寄りに位置する第２面７ｂ（図６参照）に対して接着剤などにより固定されている。第２基部２０ｂは、後側領域Ｃ寄りに位置する第２面７ｂ（図６参照）に対して接着剤などにより固定されている。
【００４０】
図７および図８にも示すように、第２基部２０ａ，２０ｂの各々は、略板状に形成されている。第２基部２０ａは、底面視において表面積が第２基部２０ｂの表面積よりも大きくなるように形成されている。なお、本実施形態において、第２基部２０ａ，２０ｂの各々には、底面側に凹凸状の網目模様が形成されているが、このような模様が形成されていなくてもよい。
【００４１】
（第２突起部）
図２および図５に示すように、ソール３は、複数の第２突起部２１，２１，…を備えている。各第２突起部２１は、第２基部２０ａ，２０ｂの材料と同様に、ゴム材、樹脂材、および金属材のうちのいずれか１つの材料からなる。
【００４２】
各第２突起部２１は、ソール３の下側から下方に突出している。具体的に、各第２突起部２１は、ミッドソール４の第２面７ｂ，７ｂに固定された第２基部２０ａ，２０ｂの各々から下方に突出している。
【００４３】
第２突起部２１，２１，…は、ソール３の下側周縁部に囲まれた領域に配置されている。また、第２突起部２１，２１，…は、ソール３の下部（すなわち、ミッドソール４の第２面７ｂ，７ｂ）において、足長方向に沿って間隔をあけて配置されている。
【００４４】
図７および図８に示すように、各第２突起部２１は、台座部３０と、爪部３１，３１，…と、爪部３２，３２，…と、を有している。
【００４５】
台座部３０は、底面視において略円形状に形成されている。台座部３０は、第２基部２０ａ，２０ｂの各々と一体形成されている。すなわち、第２突起部２１，２１，…は、第２基部２０ａ，２０ｂの各々と一体形成されている。
【００４６】
爪部３１，３１，…および爪部３２，３２，…は、台座部３０から下方に突出している。各爪部３１および各爪部３２は、各下端部が各第１突起部１１の下端部よりも先鋭状になるように形成されている。
【００４７】
各爪部３１は、底面視において各爪部３２の位置よりも台座部３０の径方向外側に配置されている。爪部３１，３１，…は、台座部３０の周方向において間隔をあけて配置されている。
【００４８】
各爪部３２は、上下方向の長さが各爪部３１の上下方向の長さよりも長くなるように構成されている。そして、各爪部３２の下端部は、各爪部３１の下端部よりも下側に位置している。
【００４９】
各爪部３２は、底面視において各爪部３１の位置よりも台座部３０の径方向内側に配置されている。爪部３２，３２，…は、台座部３０の周方向において間隔をあけて配置されている。さらに、爪部３２，３２，…は、台座部３０の周方向に沿って爪部３１，３１，…と互い違いとなるように配置されている。
【００５０】
図９〜図１２に示すように、各第２突起部２１は、第１基部１０の外周に配置された第１突起部１１で囲まれた領域内に配置されている。そして、ソール３の厚み方向（上下方向）において、各第２突起部２１は、各第２突起部２１の下端部が第１突起部１１の下端部よりも上方に位置している。具体的に、各爪部３１および各爪部３２は、下端部が第１突起部１１の下端部よりも上方に位置しており、第１突起部１１の下端部と、第２突起部２１の下端部との間には、接地面からの高さの差、すなわち比高Ｄ１〜Ｄ６が設けられている。なお、図９〜図１２では、第２基部２０ａ，２０ｂおよび第２突起部２１を他の要素と区別して示すために、第２基部２０ａ，２０ｂおよび第２突起部２１をドットによるハッチングで示している。
【００５１】
ここで、図９に示すように、前側領域Ｂ（図２参照）において、比高Ｄ１は第１突起部１１の下端部と爪部３１の下端部との距離を表す一方、比高Ｄ２は第２突起部２１の下端部と爪部３２の下端部との距離を表している。
【００５２】
図１０および図１１に示すように、アーチ領域Ａ（図２参照）において、比高Ｄ３は第１突起部１１の下端部と爪部３１の下端部との距離を表す一方、比高Ｄ４は第２突起部２１の下端部と爪部３２の下端部との距離を表している。
【００５３】
図１２に示すように、後側領域Ｃ（図２参照）において、比高Ｄ５は第１突起部１１の下端部と爪部３１の下端部との距離を表す一方、比高Ｄ６は第２突起部２１の下端部と爪部３２の下端部との距離を表している。
【００５４】
そして、図９〜図１２に示すように、ソール３のアーチ領域Ａでは、上記比高が、ソール３においてアーチ領域Ａと異なるその他領域（前側領域Ｂおよび／または後側領域Ｃ）における比高よりも大きくなるのが好ましい。具体的に、本実施形態において、比高Ｄ３は、比高Ｄ１および比高Ｄ５よりも大きくなるように設定されている。また、比高Ｄ４は、比高Ｄ２および比高Ｄ６よりも大きくなるように設定されている。さらに、比高Ｄ１〜Ｄ６の各々は、少なくとも２ｍｍ以上となるように設定されているが好ましい。
【００５５】
［実施形態の作用効果］
以上のように、ソール３の厚み方向において、第１突起部１１の下端部と第２突起部２１の下端部との間には、第２突起部２１の下端部が第１突起部１１の下端部よりも上方に位置するように構成された比高Ｄ１〜Ｄ６が設けられている。この比高Ｄ１〜Ｄ６により、第２突起部２１，２１，…がアスファルト等により整地された比較的硬い路面に対して接地し難くなる。これにより、第２突起部２１，２１，…が路面に引っ掛かりにくくなる一方、第１突起部１１，１１，…が路面に対して安定的に接地するようになる。その結果、ソール３をシューズ１に適用した場合において、着用者は、路面上を第２突起部２１による突き上げを気にせずに歩くことができる。一方、ゴルフ場に設置された芝生のような比較的柔らかい地面では、着用者の自重によりソール３が地面に対して落ち込みやすくなる。これにより、第１突起部１１，１１，…および第２突起部２１，２１，…の双方が地面に対して接地するようになる。この接地時において、各第１突起部１１の下端部よりも先鋭状に形成された各第２突起部２１の下端部が芝生にくい込むようになる。その結果、芝生上でのスリップが防止される。すなわち、比較的柔らかい地面では、各第２突起部２１によりグリップ力が発揮される。したがって、ソール３では、路面および地面における様々な状況に適した接地時の安定性および防滑性の双方を得ることができる。
【００５６】
また、比高Ｄ１〜Ｄ６が少なくとも２ｍｍ以上であることから、比較的硬い路面において着用者の自重によりソール３が落ち込んだとしても、第２突起部２１が路面に対して接地し難くなる。その結果、第１突起部１１，１１，…により、比較的硬い路面に対する接地時の安定性を維持することができる。
【００５７】
また、ソール３では、アーチ領域Ａにおける比高（Ｄ３，Ｄ４）がその他領域における比高（Ｄ１，Ｄ２，Ｄ５，Ｄ６）よりも大きくなるように構成されていることから、比較的硬い路面において着用者の自重により特にソール３のアーチ領域Ａが落ち込んだとしても、アーチ領域Ａに位置する第２突起部２１，２１が路面に対して接地し難くなる。その結果、第１突起部１１，１１，…により、比較的硬い路面に対する接地時の安定性を維持することができる。
【００５８】
また、第２突起部２１，２１，…は、各々の下端部が各第１突起部１１の下端部よりも先鋭状に形成された爪部３１，３１，…および爪部３２，３２，…を有している。このため、爪部３１，３１，…および爪部３２，３２，…が、芝生のような比較的柔らかい地面にくい込みやすくなる。その結果、芝生上でのスリップをより一層防止することができる。
【００５９】
［実施形態の変形例］
上記実施形態として、第２突起部２１が爪部３１，３１，…および爪部３２，３２，…を有する形態を示したが、このような形態に限られない。例えば、上記実施形態で示した第２突起部２１を、図１３〜図１５に示したような変形例１〜３の第２突起部２２〜２４のいずれかの構成に置き換えてもよい。
【００６０】
図１３に示したように、変形例１の第２突起部２２は、複数の爪部３３，３３，…を有する。各爪部３３は、台座部３０から下方に向かって突出しかつ底面視において台座部３０の略中心から径方向外側に向かって放射状に突出している。また、各爪部３３は、略板状に形成されていて、台座部３０との接続部分から下端部に向かって板厚が薄くなるように形成されている。爪部３３，３３，…は、底面視において台座部３０の周方向に間隔をあけて配置されている。
【００６１】
この第２突起部２２を適用したソール３では、爪部３３，３３，…が芝生に対して絡みやすくなることから、グリップ力をより一層高めることができる。
【００６２】
また、図１４に示したように、変形例２の第２突起部２３は、爪部３４，３４，…および爪部３５，３５，…を有する。各爪部３４は、台座部３０の周縁部から下方に向かって突出している。爪部３４，３４，…は、底面視において台座部３０の周方向に間隔をあけて配置されている。一方、各爪部３５は、台座部３０から下方に向かって突出しかつ台座部３０との接続部分から下端部に向かって先細るような円錐台状に形成されている。各爪部３５は、各爪部３４よりも台座部３０の径方向内側に配置されている。そして、各爪部３５は、各爪部３４よりも低くなるように形成されている。
【００６３】
この第２突起部２３を適用したソール３では、高さが互いに異なる爪部３４，３４，…および爪部３５，３５，…により、ゴルフ場において水に濡れた芝生の上または水に濡れた木々が積み重なった地面を歩くときに滑りにくくなる。その結果、十分なグリップ力を得ることができる。
【００６４】
さらに、図１５に示したように、変形例３の第２突起部２４は、爪部３６，３６，…を有する。各爪部３６は、台座部３０の下面から略直線状に突出している。また、各爪部３６の下端部は針状に形成されている。そして、爪部３６，３６，…は、台座部３０における下面の全域に亘って配置されている。
【００６５】
この第２突起部２４を適用したソール３では、針状の各爪部３６が芝生を通り越して地中に突き刺さりやすくなる。その結果、例えばスイング時におけるスリップをより一層防止することができる。
【００６６】
［その他の実施形態］
上記実施形態では、各第１突起部１１が第１基部１０と一体形成された形態を示したが、この形態に限られない。すなわち、各第１突起部１１は、第１基部１０と別部材として構成され、かつ第１基部１０に対し接着剤または締結部材により取り付けられていてもよい。
【００６７】
また、上記実施形態では、第２突起部２１，２１，…が第２基部２０ａ，２０ｂの各々と一体形成された形態を示したが、この形態に限られない。例えば、第２突起部２１，２１，…は、第２基部２０ａ，２０ｂの各々と別部材として構成され、かつ第２基部２０ａ，２０ｂの各々に対し接着剤または締結部材により取り付けられていてもよい。あるいは、第２突起部２１，２１，…は、第２基部２０ａ，２０ｂを介さずに、ミッドソール４の各第２面７ｂに対して直接的に取り付けられていてもよい。
【００６８】
また、上記実施形態では、ソール３が複数の第２突起部２１，２１，…を備えた形態を示したが、この形態に限られない。すなわち、ソール３が少なくとも１つの第２突起部２１を備えていれば、上述した作用効果を奏し得る。
【００６９】
また、上記実施形態では、比高Ｄ３が比高Ｄ１および比高Ｄ５よりも大きくかつ比高Ｄ４が比高Ｄ２および比高Ｄ６よりも大きくなるように設定された形態を示したが、この形態に限られない。例えば、比高Ｄ１〜Ｄ６は、同じ大きさに設定されていてもよい。すなわち、アーチ領域Ａに位置する上記比高と、その他領域に位置する比高とが同じ大きさに設定されていてもよい。
【００７０】
また、上記実施形態では、各第２突起部２１が複数の爪部（爪部３１，３１，…および爪部３２，３２，…）を有する形態を示したが、この形態に限られない。すなわち、各第２突起部２１が１つの爪部３１または１つの爪部３２を有する形態としてもよい。
【００７１】
以上、本開示についての実施形態を説明したが、本開示は上述の実施形態のみに限定されず、本開示の範囲内で種々の変更が可能である。
【産業上の利用可能性】
【００７２】
本開示は、ゴルフシューズ用のソールおよびそれを用いたゴルフシューズとして産業上の利用が可能である。
【符号の説明】
【００７３】
１：シューズ
３：ソール
４：ミッドソール
７ａ：第１面
７ｂ：第２面
８：アウトソール
１０：第１基部
１１：第１突起部
１２：溝部
２０ａ，２０ｂ：第２基部
２１〜２４：第２突起部
３０：台座部
３１〜３６：爪部
Ａ：アーチ領域
Ｂ：前側領域
Ｃ：後側領域
Ｄ１〜Ｄ６：比高
【図１】
0006903722.tif 000002
【図２】
0006903722.tif 000003
【図３】
0006903722.tif 000004
【図４】
0006903722.tif 000005
【図５】
0006903722.tif 000006
【図６】
0006903722.tif 000007
【図７】
0006903722.tif 000008
【図８】
0006903722.tif 000009
【図９】
0006903722.tif 000010
【図１０】
0006903722.tif 000011
【図１１】
0006903722.tif 000012
【図１２】
0006903722.tif 000013
【図１３】
0006903722.tif 000014
【図１４】
0006903722.tif 000015
【図１５】
0006903722.tif 000016